(57)【要約】【課題】  従来のビル管理システムとセキュリティシステムとを統合化することにより、全体コストの低減を図り、機能性、利便性を向上させる。【解決手段】  ビル管理システム（ＢＭＳ）１がセキュリティシステム２を包含する形でシステム統合を実現する。このために、ビル管理システム（ＢＭＳ）１は、入退出者の管理情報等をセキュリティ情報としてセキュリティシステム２から受信し、該セキュリティ情報を、ビル設備機器の運転状況の情報を表示する画面と統合化された監視画面で表示する。また、セキュリティ情報と該セキュリティ情報に対応するビル設備機器の運転方法の情報とを関連付けてデータベースに記録しておき、セキュリティ情報に対応してビル設備機器の運転を制御する。例えば、セキュリティ情報「フロアから全員退出」を基に、当該フロアの空調機器および照明機器の運転を停止する。【選択図】  図１
2006277163.tif 000002
【特許請求の範囲】
【請求項１】
ビル施設内に設けられたビル設備機器の運転の制御と運転状態の監視を行なうと共に、該ビル設備機器の運転状態の情報を監視画面に表示するビル管理システムにおいて、
ビル施設における入退出者に関する情報をセキュリティ情報として収集し記録するセキュリティ監視手段と、
前記セキュリティ監視手段により収集したセキュリティ情報と、前記ビル設備機器の運転状態の情報とを共通の画面で表示する監視画面表示手段と、
前記セキュリティ情報の内容と、該セキュリティ情報の内容に対応して決められたビル設備機器の運転方法の情報とを関連付けてデータベースに記録する手段と、
前記セキュリティ監視手段により収集されたセキュリティ情報を基に前記データベースを参照し、当該セキュリティ情報に対応する運転方法の情報を抽出し、該運転方法に従い前記ビル設備機器の運転を制御するセキュリティ対応運転制御手段と
を備えることを特徴とするビル管理システム。
【請求項２】
前記セキュリティ監視手段により取得したセキュリティ情報を基に、空調機器および照明機器の運転を制御する手段を
備えることを特徴とする請求項１に記載のビル管理システム。
【請求項３】
火災および所定の震度以上の地震が発生した場合に、前記セキュリティ監視手段により取得したセキュリティ情報を基に、室内に入がいるかどうかを判定し、人がいると判定された場合に、該部屋の入退出口のゲート錠を開放する手段を
備えることを特徴とする請求項１または請求項２に記載のビル管理システム。
【請求項４】
ビル施設内に設けられたビル設備機器の運転の制御と運転状態の監視を行なうと共に、該ビル設備機器の運転状態の情報を監視画面に表示するビル管理システム内のコンピュータに、
ビル施設における入退出者に関する情報をセキュリティ情報として収集し記録するセキュリティ監視手順と、
前記セキュリティ監視手順により収集したセキュリティ情報と、前記ビル設備機器の運転状態の情報とを共通の画面で表示する監視画面表示手順と、
前記セキュリティ情報の内容と、該セキュリティ情報の内容に対応して決められたビル設備機器の運転方法の情報とを関連付けてデータベースに記録する手順と、
前記セキュリティ監視手順により収集されたセキュリティ情報を基に前記データベースを参照し、当該セキュリティ情報に対応する運転方法の情報を抽出し、該運転方法に従い前記ビル設備機器の運転を制御するセキュリティ対応運転制御手順と
を実行させるためのプログラム。
【発明の詳細な説明】
【技術分野】
【０００１】
本発明は、ビル管理システム、および該ビル管理システムのプログラムに関するものであり、特に、従来のビル管理システムとセキュリティシステム（入退出管理システム等）とを統合化した、ビル管理システム、および該ビル管理システムのプログラムに関するものである。
【背景技術】
【０００２】
近年、ビル管理はビル管理システム（ＢＭＳ）により総合的に行なわれるようになってきた。例えば、ＬｏｎＷｏｒｋｓ（登録商標）などの専用プロトコル（以下、このプロトコルのことを、単に「ＬＯＮ」と称す）を使用し、ビル内の電気設備、空調機器、熱源設備、エレベータ、照明等を総合的に管理し、また、設備データの収集と制御による設備運転の効率化も行なわれるようになってきた。
【０００３】
一方で、近時、防災や防犯などのためにセキュリティの問題が重要視されるようになってきており、セキュリティシステム（人の出入りを管理する入退出管理システム等）に対するビルオーナーのニーズも高まり、ビル施設には必須になってきている。
【０００４】
しかしながら、上述したビル管理システム（ＢＭＳ）とセキュリティシステムは、設備の運転・監視等において共通する管理項目（例えば、火災や地震などの災害時の照明などの管理等）が多いのにも係わらず、それぞれの設備が個別に構築、導入されてきた。このため、監視画面（例えば、各フロア等の平面図の画面）がそれぞれに存在し、両システム間の連動（例えば、フロアから全員が退出した場合に照明や空調を消す）についても都度開発する等、システム開発費や運用手間を含めた全体コストが高くなっていた。
【０００５】
すなわち、今までは、ビル管理システム（ＢＭＳ）は施設部といった部署、セキュリティシステムは警備、総務部といった部署の管理下にあり、構成するハードウェアや監視操作が全く区別されていた。このため、セキュリティの最終退室信号をビル管理システム（ＢＭＳ）で受信し、照明や空調を停止するといった連動は両システムを個別に接続し、通信手段を都度カスタマイズすることにより実現してきた。
【０００６】
そこで、両システムを統合化することにより、システム構築時のハードウェアおよびソフトウェアの共通化によるコストの削減と、システム同士のシームレスな連携を実現し機能性、利便性の向上を図ることが求められていた。
【０００７】
なお、従来技術としてＩＣカードによる入退出管理システムがある（例えば、特許文献１参照）。特許文献１に記載された入退出管理システムは、特定区域における特定者の入出管理、位置検索を迅速且つ正確に行えるシステムを提供することを目的としている。
また、従来技術として防災情報処理装置がある（例えば、特許文献２参照）。特許文献２に記載された防災情報処理装置は、防災センターに対して上がってきた警報信号に対して、発信個所の空間的特性や利用状況を考慮したきめ細かな行動ガイダンスメッセージ等の出力処理を可能にすることを目的としている。
また、従来技術としてビル管理システムがある（例えば、特許文献３参照）。特許文献３に記載されたビル管理システムは、ビル管理システムの通信速度を高めシステム全体のリアルタイム性能を確保することが可能なビル管理システムの通信処理方式の提供を目的としている。
【０００８】
しかしながら、本発明は、従来のビル管理システム（ＢＭＳ）とセキュリティシステムとを統合化することにより、全体コストの低減、機能性、利便性の向上を図ることを目的としており、上記従来技術とは、発明の目的と構成が異なるものである。
【特許文献１】特開平５−２５６０５２号公報
【特許文献２】特開平８−３２９３７８号公報
【特許文献３】特開平１−２９２９９３号公報
【発明の開示】
【発明が解決しようとする課題】
【０００９】
以上、説明したように、従来のビル管理システム（ＢＭＳ）とセキュリティシステムは、共通する項目が多いのにも係わらず、それぞれの設備が個別の構築、導入されてきた。このため、全体コストが高くなり、機能性、利便性の面においても改善すべき点があった。
【００１０】
本発明はこのような問題を解決するためになされたもので、その目的は、従来のビル管理システム（ＢＭＳ）とセキュリティシステムとを統合化することにより、全体コストの低減を図り、機能性、利便性を向上させることができる、ビル管理システム、およびビル管理システムのプログラムを提供することにある。
【課題を解決するための手段】
【００１１】
本発明は上記課題を解決するためになされたものであり、本発明のビル管理システムは、ビル施設内に設けられたビル設備機器の運転の制御と運転状態の監視を行なうと共に、該ビル設備機器の運転状態の情報を監視画面に表示するビル管理システムにおいて、ビル施設における入退出者に関する情報をセキュリティ情報として収集し記録するセキュリティ監視手段と、前記セキュリティ監視手段により収集したセキュリティ情報と、前記ビル設備機器の運転状態の情報とを共通の画面で表示する監視画面表示手段と、前記セキュリティ情報の内容と、該セキュリティ情報の内容に対応して決められたビル設備機器の運転方法の情報とを関連付けてデータベースに記録する手段と、前記セキュリティ監視手段により収集されたセキュリティ情報を基に前記データベースを参照し、当該セキュリティ情報に対応する運転方法の情報を抽出し、該運転方法に従い前記ビル設備機器の運転を制御するセキュリティ対応運転制御手段とを備えることを特徴とする。
これにより、従来のビル管理システム（ＢＭＳ）とセキュリティシステムの機能および設備の共通化によるコストダウンが図れる。また、監視画面を統合することによる監視業務の効率化、省人化が図れる。さらに、両システムのシームレスな接続（設備連動）によるビル管理システム（ＢＭＳ）全体の機能性の向上が図れる。
【００１２】
また、本発明のビル管理システムは、前記セキュリティ監視手段により取得したセキュリティ情報を基に、空調機器および照明機器の運転を制御する手段を備えることを特徴とする。
これにより、例えば、フロアから全員が退室した場合に、当該フロアの空調機器および照明機器の運転を停止できるようになり、省エネルギー化を図ることができる。
【００１３】
また、本発明のビル管理システムは、火災および所定の震度以上の地震が発生した場合に、前記セキュリティ監視手段により取得したセキュリティ情報を基に、室内に人がいるかどうかを判定し、人がいると判定された場合に、該部屋の入退出口のゲート錠を開放する手段を備えることを特徴とする。
これにより、災害時の緊急事態に対応できるようになる。
【００１４】
また、本発明のコンピュータプログラムは、ビル施設内に設けられたビル設備機器の運転の制御と運転状態の監視を行なうと共に、該ビル設備機器の運転状態の情報を監視画面に表示するビル管理システム内のコンピュータに、ビル施設における入退出者に関する情報をセキュリティ情報として収集し記録するセキュリティ監視手順と、前記セキュリティ監視手順により収集したセキュリティ情報と、前記ビル設備機器の運転状態の情報とを共通の画面で表示する監視画面表示手順と、前記セキュリティ情報の内容と、該セキュリティ情報の内容に対応して決められたビル設備機器の運転方法の情報とを関連付けてデータベースに記録する手順と、前記セキュリティ監視手順により収集されたセキュリティ情報を基に前記データベースを参照し、当該セキュリティ情報に対応する運転方法の情報を抽出し、該運転方法に従い前記ビル設備機器の運転を制御するセキュリティ対応運転制御手順とを実行させるためのプログラムである。
【発明の効果】
【００１５】
本発明のビル管理システムにおいては、ビル施設への入退出者に関する情報をセキュリティ情報として収集し、該セキュリティ情報をビル設備機器の運転状態を表示する画面と統合化された画面で表示し、また、セキュリティ情報の内容とビル設備機器の運転方法の情報とを関連付けてデータベースに記録し、セキュリティ情報に対応してビル設備機器の運転を制御するようにしたので、これにより、従来のビル管理システム（ＢＭＳ）とセキュリティシステムの機能および設備の共通化によるコストダウンが図れる。また、監視画面を統合することによる監視業務の効率化、省人化が図れる。さらに、両システムのシームレスな接続（設備連動）によるビル管理システム（ＢＭＳ）全体の機能性の向上が図れる。
【００１６】
また、本発明のビル管理システムにおいては、セキュリティ情報（入退出者に関する情報）により、空調機器および照明機器の運転を制御するようにしたので、これにより、例えば、フロアから全員が退室した場合に、当該フロアの空調機器および照明機器の運転を停止できるようになり、省エネルギー化を図ることができる。
【００１７】
また、本発明のビル管理システムにおいては、火災および所定の震度以上の地震が発生した場合に、セキュリティ情報を基に室内に人がいると判定した場合は、該部屋のゲート錠を開放するようにしたので、これにより、災害時の緊急事態に対応できるようになる。
【発明を実施するための最良の形態】
【００１８】
次に本発明を実施するための最良の形態について図面を参照して説明する。
従来は、ビル管理システム（ＢＭＳ）は施設部といった部署、セキュリティシステム（入退出管理システム）は警備、総務部といった部署の管理下にあり、構成するハードウェアや監視操作が全く区別されていたが、本発明では、セキュリティシステムをビル管理システム（ＢＭＳ）に包含する形でシステム統合を実現する。
【００１９】
図１は、本発明のビル管理システムの構成例を示す図である。
図１において、ビル管理システム（ＢＭＳ）１は、イーサネット（登録商標）３とハブ４により、セキュリティシステム２、ＰＬＣ（プログラマブル・ロジック・コントローラ）５、およびＬＯＮインターフェイス（ＬＯＮＩ／Ｆ）６と接続されている。
【００２０】
ＰＬＣ５は、電力設備や、照明設備等の制御と監視に使用される。ＬＯＮインターフェイス（ＬＯＮＩ／Ｆ）６には、ＬＯＮプロトコル対応のＬＯＮデバイス７が接続され、空調設備や熱源設備の制御と監視を行なう。
【００２１】
セキュリティシステム２には、該セキュリティシステム２を基点とするローカルエリアネットワーク１０が設けられ、ローカルエリアネットワーク１０にはゲートコントローラ（ＧＭＣ）１１が接続されている。ゲートコントローラ（ＧＭＣ）１１は、ゲート（ビルや室内への入退出口）１２のゲート錠および本人確認用（認証用）のカードリーダ１３を制御し監視する。
【００２２】
図１に示すビル管理システムにおいては、セキュリティシステム２は、ビル管理システム（ＢＭＳ）１に従属しており、ビル管理システム（ＢＭＳ）１とセキュリティシステム２との間では、データの連携と機能の連携が行なわれる。
【００２３】
セキュリティシステム２では、ゲートの開閉、入退出者の監視情報や、入退出者の履歴情報（利用者情報）の取得やシステム設定情報の登録のみを行い、入退出者の監視情報や、入退出者の履歴情報（利用者情報）等のセキュリティ情報をビル管理システム（ＢＭＳ）１に常時送信する。
【００２４】
ビル管理システム（ＢＭＳ）１においては、セキュリティシステム２からセキュリティ情報（入退出者に関する情報等）を取得し、ビル設備機器の運転状態の監視画面と統合化した共通画面でセキュリティ情報の表示を行なう。また、セキュリティ情報に対応したビル設備機器の連動制御、例えば、空調機器や、照明の停止、ゲートの開閉などの制御を行なう。
【００２５】
また、図２は、本発明のビル管理システムと従来のビル管理システムとを比較して説明するための図である。
図２（ａ）は、従来の構成について説明するための図であり、図２（ｂ）は、本発明による構成について説明するための図である。
図２（ａ）に示すように、従来構成の場合は、ビル管理システム（ＢＭＳ）１とセキュリティシステム２とが、それぞれ独立してシステムが構築され、それぞれのシステムは、独立に監視体制を設けていた。
【００２６】
一方、図２（ｂ）に示す本発明の構成においては、セキュリティシステム２をビル管理システム（ＢＭＳ）１に従属させるようにし、セキュリティ情報の監視画面への表示や、セキュリティ情報に対応するビル設備機器の連動制御は、すべてビル管理システム（ＢＭＳ）１に集約するようにしている。
【００２７】
これにより、ビル管理システム（ＢＭＳ）１とセキュリティシステム２の機能および設備の共通化によるコストダウンが図れる。また、監視画面を統合することによる監視業務の効率化、省人化が図れる。さらに、両システムのシームレスな接続（設備連動）によるビル管理システム（ＢＭＳ）全体の機能性の向上が図れる。
【００２８】
また、図３は、本発明によるビル管理システムの機能構成例を示す図であり、本発明に直接関係する部分について示したものである。
【００２９】
ビル管理システム（ＢＭＳ）１内のビル設備機器制御部１０１は、ＰＬＣ５を介して、電力設備、照明設備等を制御し、また、ＬＯＮＩ／Ｆ６を介して、空調機器、熱源設備等を制御する処理部である。また、ビル設備機器監視部１０２は、ＰＬＣ５を介して、電力設備、照明設備等からの運転情報を収集し、ＬＯＮＩ／Ｆ６を介して、空調機器、熱源設備等から運転情報を収集し、ビル設備機器の運転が正常に行なわれているかどうかを監視する処理部である。なお、ビル設備機器の運転情報はビル設備機器運転履歴情報１１１としてデータベース１１０に記録される。
【００３０】
また、ビル設備機器監視部１０２で収集された監視情報（運転状態の情報）は、監視情報表示部１０３の処理により監視画面１０３ａに表示される。
【００３１】
セキュリティ情報受信部１０４は、セキュリティシステム２からセキュリティ情報（入退出者に関する管理情報やゲート錠の開閉情報）を受信し、データベース１１０にセキュリティ情報１１２として記録する処理を行なう。また、セキュリティ情報は、監視情報表示部１０３により、ビル設備機器の運転情報の画面と統合化された共通の監視画面１０３ａで画面表示される。
【００３２】
セキュリティ対応運転制御部１０５は、セキュリティシステム２から受信したセキュリティ情報に対応する制御を行なう。この場合、セキュリティ情報を基に、データベース１１０内のセキュリティ対応運転方法テーブル１１３を参照し、セキュリティ情報に対応する運転方法を抽出し、抽出した運転方法にしたがって、ビル設備機器の制御を行なう。
【００３３】
図４にセキュリティ対応運転方法テーブルの例を示す。図４に示すセキュリティ対応運転方法テーブルでは、セキュリティ情報の内容に対応して連動するビル設備機器の運転方法を記録したものであり、例えば、フロアから全員退出した場合に、照明、空調を消すなどの運転方法が記録されている。
【００３４】
また、図３に示すセキュリティシステム２内のカードリーダ情報受信部２０１は、カードリーダ１３により読み取られた入退出者のカード（個人認証用のＩＣカード等）の情報を受信する処理部である。ゲート錠開閉情報記録部２０２は、入退出者のカードが認証されゲート１２が開閉された場合のゲート錠の開閉情報を受信し記録する処理部である。入退出者管理情報記録部２０３は、カードリーダ情報受信部２０１により受信した入退出者の情報を入退出者管理情報（入退出履歴情報）として記録する処理部である。セキュリティ情報送信部２０４は、入退出者管理情報やゲート錠開閉情報をセキュリティ情報として、ビル管理システム（ＢＭＳ）１に送信するための処理部である。
【００３５】
また、図５は、本発明のビル管理システムの動作の流れを示す図であり、上述したビル管理システムにおける処理の流れを整理して示したものである。
【００３６】
ビル管理システム（ＢＭＳ）１では、常時、電力設備や照明等のビル設備機器の運転の制御と運転状態の監視を行い、ビル設備機器の運転状態を監視画面に表示している（ステップＳ１０１、Ｓ１０２）。また、セキュリティシステム２から、セキュリティ情報（入退出者管理情報やゲート錠の開閉情報等）を受信し、データベース１１０に保存する（ステップＳ１０３）。また、セキュリティ情報を監視画面に表示する（ステップＳ１０４）。
【００３７】
ビル管理システム（ＢＭＳ）１では、セキュリティシステム２からセキュリティ情報を受信すると、受信したセキュリティ情報を基に、データベース１１０内のセキュリティ対応運転方法テーブルを参照する（ステップＳ１０５）。そして、当該セキュリティ情報に対応する運転制御が必要かどうかを判定する（ステップＳ１０６）。セキュリティ情報に対応する運転制御（例えば、照明を消す等）が必要な場合には、セキュリティ対応制御を行なう（ステップＳ１０７）。
【００３８】
一方、セキュリティシステム２では、カードリーダ１３により、入退出者のカードに記録された情報を読み取り（ステップＳ２０１）、本人認証を行い（ステップＳ２０２）、認証が正常に行われた場合には、ゲート錠を開放し（ステップＳ２０３）、入退出を確認してゲート錠を閉じる（ステップＳ２０４）。
【００３９】
そして、ゲートコントローラ１１は入退出者の情報とゲート開閉情報をセキュリティシステム２に送信し（ステップＳ２０５）、セキュリティシステム２では、入退出者管理情報とゲート錠開閉情報を更新し、セキュリティ情報として保存する（ステップＳ２１０）。また、セキュリティシステム２は、セキュリティ情報をビル管理システム（ＢＭＳ）１に送信する（ステップＳ２１１）。
【００４０】
以上説明したような手順により、セキュリティシステム２からセキュリティ情報（入退出者管理情報等）がビル管理システム（ＢＭＳ）１に送信され、ビル管理システム（ＢＭＳ）１が、セキュリティの監視情報の表示、およびセキュリティ情報に対応した運転制御を一括して行なうようにできる。
【００４１】
これにより、システムの共通化（例えば、監視画面、運転調整および導入作業、ローカル制御盤の設置）によるコストダウンが図れ、また、監視画面を統合することによる監視業務の効率化、省人化が図れ、さらに、両システムのシームレスな接続（設備連動）によるビル管理システム（ＢＭＳ）の機能性の向上が図れる。
【００４２】
なお、上述したビル管理システム（ＢＭＳ）１は内部にコンピュータシステムを有している。そして、上述した処理に関する一連の処理の過程は、プログラムの形式でコンピュータ読み取り可能な記録媒体に記憶されており、このプログラムをコンピュータが読み出して実行することによって、上記処理が行われる。
【００４３】
すなわち、ビル管理システム（ＢＭＳ）１における、各処理は、ＣＰＵ等の中央演算処理装置がＲＯＭやＲＡＭ等の主記憶装置に上記プログラムを読み出して、情報の加工、演算処理を実行することにより、実現されるものである。
【００４４】
ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４５】
以上、本発明の実施の形態について説明したが、本発明のビル管理システムは、上述の図示例にのみ限定されるものではなく、本発明の要旨を逸脱しない範囲内において種々変更を加え得ることは勿論である。
【産業上の利用可能性】
【００４６】
本発明は、従来のビル管理システムとセキュリティシステムとを統合化することにより、全体コストの低減を図り、機能性、利便性を向上させることができる効果を奏するので、本発明は、ビル管理システム、およびビル管理システムのプログラム等に有用である。
【図面の簡単な説明】
【００４７】
【図１】本発明のビル管理システムの構成例を示す図である。
【図２】本発明のビル管理システムと従来のビル管理システムとを比較して説明するための図である。
【図３】本発明によるビル管理システムの機能構成例を示す図である。
【図４】セキュリティ対応運転方法テーブルの例を示す図である。
【図５】本発明のビル管理システムの動作の流れを示す図である。
【符号の説明】
【００４８】
１  ビル管理システム（ＢＭＳ）
２  セキュリティシステム
３  イーサネット（登録商標）
４  ハブ
５  ＰＬＣ
６  ＬＯＮインターフェイス
７  ＬＯＮデバイス
１０  ローカルエリアネットワーク
１１  ゲートコントローラ（ＧＭＣ）
１２  ゲート
１３  カードリーダ（ＣＲ）
１０１  ビル設備機器制御部
１０２  ビル設備機器監視部
１０３  監視情報表示部
１０３ａ  監視画面
１０４  セキュリティ情報受信部
１０５  セキュリティ対応運転制御部
１１０  データベース
１１１  ビル設備機器運転履歴情報
１１２  セキュリティ情報
１１３  セキュリティ対応運転方法テーブル
２０１  カードリーダ情報受信部
２０２  ゲート錠開閉情報記録部
２０３  入退出者管理情報記録部
【図１】
2006277163.tif 000003
【図２】
2006277163.tif 000004
【図３】
2006277163.tif 000005
【図４】
2006277163.tif 000006
【図５】
2006277163.tif 000007